(57)【要約】【課題】機体の直進作業中は抵抗棒１２・水平回動を規制した良好な直進走行を行うと共に、機体の旋回時には抵抗棒１２を水平回動自在とさせて抵抗棒１２の抵抗の影響を最小とさせたスムーズな機体旋回を容易に行って、各種作業での作業性を向上させるもので、抵抗棒１２の規制及び規制解除を容易とさせて作業性を向上させる。【解決手段】機体後部のヒッチ１１に抵抗棒１２を装備させた管理機において、ヒッチピン１３を介し水平回動自在に抵抗棒１２をヒッチ１３に連結させると共に、抵抗棒１２を保持するホルダー１４に支軸２２を介し揺動自在にロック部材２３を連結させ、ロック部材２３の揺動操作によるロック部材２３とヒッチ１１の当接及び当接解除によって抵抗棒１２の水平回動の規制及び規制解除を行う。【選択図】      図４
2004180643.tif 000002
【特許請求の範囲】
【請求項１】
機体後部のヒッチに抵抗棒を装備させた管理機において、ヒッチピンを介し水平回動自在に抵抗棒をヒッチに連結させると共に、抵抗棒を保持するホルダーに支軸を介し揺動自在にロック部材を連結させ、ロック部材の揺動操作によるロック部材とヒッチの当接及び当接解除によって抵抗棒の水平回動の規制及び規制解除を行うように構成したことを特徴とする管理機。
【請求項２】
ロック部材とハンドル操作部とをワイヤで連結させると共に、ワイヤのアウタ受け部材をホルダーに連結保持させたことを特徴とする請求項１記載の管理機。
【発明の詳細な説明】
【０００１】
【発明の属する技術分野】
本発明は車軸に耕耘ロータリなど各種作業装置を取付けて、走行と同時に各種作業を同時に行うようにした車軸作業型の管理機に関する。
【０００２】
【従来の技術】
従来、車軸作業型の管理機の機体後部に抵抗棒を装備させ機体のダッシュの防止や直進走行性能を確保する手段がある。（例えば、特許文献１参照）
【０００３】
【特許文献１】特開２００１−１３８９６４号公報
【０００４】
【発明が解決しようとする課題】
しかし乍ら、機体の旋回動作にはこの抵抗棒が抵抗となって抵抗棒を作業位置に保った状態のままで旋回するには極めて大きな旋回操作力を必要とするなどして旋回を困難なものとさせるため、旋回の都度機体とともに抵抗棒を持上げたり、エンジンをアイドリング回転させるなどして旋回の容易化を図っているが極めて作業能率が悪かった。
【０００５】
【課題を解決するための手段】
然るに、本発明は、機体後部のヒッチに抵抗棒を装備させた管理機において、ヒッチピンを介し水平回動自在に抵抗棒をヒッチに連結させると共に、抵抗棒を保持するホルダーに支軸を介し揺動自在にロック部材を連結させ、ロック部材の揺動操作によるロック部材とヒッチの当接及び当接解除によって抵抗棒の水平回動の規制及び規制解除を行って、抵抗棒の水平回動規制時には機体の良好な直進走行を行うと共に、規制解除の水平回動自在時には抵抗棒の抵抗の影響を最小とさせたスムーズな機体旋回を行って走行性能を向上させるもので、抵抗棒の水平回動の規制及び規制解除操作を容易とさせて作業性を向上させるものである。
【０００６】
また、ロック部材とハンドル操作部とをワイヤで連結させると共に、ワイヤのアウタ受け部材をホルダーに連結保持させて、抵抗棒の水平回動の規制及び規制解除をハンドル操作部で容易に行って操作性を向上させると共に、アウタ受け部材をホルダーに強度良好に保持させて規制及び規制解除動作を安定保持させて信頼性を向上させるものである。
【０００７】
【発明の実施の形態】
以下、本発明の実施例を図面に基づいて詳述する。図１に示す如く、エンジン１を搭載するエンジン台２後端にミッションケース３を固定させ、ミッションケース３上端にハンドルベース４を介して前後振替自在に操向ハンドル５を連結させると共に、ミッションケース３下端側の車軸である出力軸６にロータリ刃７を取付けて耕耘ロータリ８を構成している。
【０００８】
図２乃至図６に示す如く、前記ミッションケース３後側でロータリカバー９上方位置にヒッチブラケット１０を介しヒッチ１１を取外し自在に固定させ、下端側を後方に屈曲させた断面長方形状の抵抗棒１２をヒッチピン１３及びホルダー１４を介しヒッチブラケット１０に水平回動自在に支持させるもので、側面視コ形状の回動板１５と、回動板１５の上下板１５ａ・１５ｂ間を貫通させる平面視門形で縦長状の保持板１６と、前記ヒッチピン１３に回動自在に嵌合させて回動板１５先端に外周面を連結固定させる軸筒１７とをホルダー１４は備え、回動板１５と保持板１６とで形成される保持板１６内側の長方形状の係合孔１８に抵抗棒１２の上端を挿入させて、保持板１６の外側２面に略９０度角度を異ならせて取付ける２本のセットボルト１９によって抵抗棒１２を上下位置調節自在に取付固定するように構成している。
【０００９】
また、前記抵抗棒１２の水平回動の規制及び規制解除を行うロック装置２０をホルダー１４に装着させるもので、回動板１５の後端側に受軸２１を介し回動自在に支持させる支軸２２と、支軸２２に回動自在に後側基端を取付けてヒッチ１１の上側端面１１ａに当接させるロック面２３ａを前側先端に形成するロック部材２３と、前記軸筒１７と回動板の上板１５ａとに下板部２４ａを固定させロック部材２３の上面開口部２５より上方に上板部２４ｂを突出させる側面視コ形状のアウタ受け部材２４とをロック装置２０は備え、前記ロック部材２３の下動時にはヒッチ１１の上側端面１１ａとロック面２３ａとを同じ高さ位置とさせて、抵抗棒１２の水平回動時にはロック面２３ａを端面１１ａに当接状態とさせて回動を規制する一方、ロック部材２３の上動時にはロック面２３ａと端面１１ａとの当接を回避させて規制を解除するように構成している。
【００１０】
そして、前記アウタ受け部材２４の上板部２４ｂにアウタチューブ２６の取付金具２７の取付切欠溝２８を、またロック部材２３の開口部２５にインナワイヤ２９の取付切欠溝３０を形成させ、取付金具２７とロック部材２３間にロック部材２３戻り用のロックバネ３１を介設させ、操向ハンドル５の操作部３２に設けるロックレバー３３とロック部材２３間をインナワイヤ２９で連結させて、図４に示す如く、ロックレバー３３でワイヤ２９を引張り操作するとき、支軸２２を中心としてロック部材２３の先端側を上動させ、ロック部材２３による回動板１５の回動規制を解除させて、抵抗棒１２を左右方向に水平回動可能とさせるように構成している。
【００１１】
本実施例は上記の如く構成するものにして、図３、図４に示す如く耕耘作業中は、下動位置で水平姿勢を保持させるロック部材２３によって抵抗棒１２の水平回動を規制し、圃場内に下端を突入させる抵抗棒１２の作用で機体がダッシュしたり横方向に振られる不都合を防止して機体の良好な直進走行を行う一方、機体の旋回作業時にあってはロック部材２３を上動させて、回動板１５の回動規制の解除を行って抵抗棒１２を自由回動状態とさせて、抵抗棒１２が回動時の抵抗となるのを最小に抑制して、機体のスムーズな旋回を容易に可能とさせるものである。
【００１２】
上記からも明らかなように、機体後部のヒッチ１１に抵抗棒１２を装備させた管理機において、ヒッチピン１３を介し水平回動自在に抵抗棒１２をヒッチ１３に連結させると共に、抵抗棒１２を保持するホルダー１４に支軸２２を介し揺動自在にロック部材２３を連結させ、ロック部材２３の揺動操作によるロック部材２３とヒッチ１１の当接及び当接解除によって抵抗棒１２の水平回動の規制及び規制解除を行うことによって、抵抗棒１２の水平回動規制時には機体の良好な直進走行を行うと共に、規制解除の水平回動自在時には抵抗棒１２の抵抗の影響を最小とさせたスムーズな機体旋回を行って走行性能を向上させるもので、抵抗棒１２の水平回動の規制及び規制解除操作を容易とさせて作業性を向上させることができる。
【００１３】
また、ロック部材２３とハンドル操作部３２とをワイヤ２９で連結させると共に、ワイヤ２９のアウタ受け部材２４をホルダー１４に連結保持させたことによって、抵抗棒１２の水平回動の規制及び規制解除をハンドル操作部３２で容易に行って操作性を向上させると共に、アウタ受け部材２４をホルダー１４に強度良好に保持させて規制及び規制解除動作を安定保持させて信頼性を向上させることができる。
【００１４】
【発明の効果】
以上実施例から明らかなように本発明は、機体後部のヒッチ１１に抵抗棒１２を装備させた管理機において、ヒッチピン１３を介し水平回動自在に抵抗棒１２をヒッチ１３に連結させると共に、抵抗棒１２を保持するホルダー１４に支軸２２を介し揺動自在にロック部材２３を連結させ、ロック部材２３の揺動操作によるロック部材２３とヒッチ１１の当接及び当接解除によって抵抗棒１２の水平回動の規制及び規制解除を行うものであるから、抵抗棒１２の水平回動規制時には機体の良好な直進走行を行うと共に、規制解除の水平回動自在時には抵抗棒１２の抵抗の影響を最小とさせたスムーズな機体旋回を行って走行性能を向上させるもので、抵抗棒１２の水平回動の規制及び規制解除操作を容易とさせて作業性を向上させることができるものである。
【００１５】
また、ロック部材２３とハンドル操作部３２とをワイヤ２９で連結させると共に、ワイヤ２９のアウタ受け部材２４をホルダー１４に連結保持させたものであるから、抵抗棒１２の水平回動の規制及び規制解除をハンドル操作部３２で容易に行って操作性を向上させると共に、アウタ受け部材２４をホルダー１４に強度良好に保持させて規制及び規制解除動作を安定保持させて信頼性を向上させることができるものである。
【図面の簡単な説明】
【図１】管理機の全体側面図。
【図２】抵抗棒取付部の側面説明図。
【図３】抵抗棒取付部の平面説明図。
【図４】ヒッチ部の側面説明図。
【図５】ヒッチ部の背面説明図。
【図６】抵抗棒の回動説明図。
【符号の説明】
１１  ヒッチ
１２  抵抗棒
１３  ヒッチピン
１４  ホルダー
２２  支軸
２３  ロック部材
２４  アウタ受け部材
２９  ワイヤ
３２  ハンドル操作部
【図１】
2004180643.tif 000003
【図２】
2004180643.tif 000004
【図３】
2004180643.tif 000005
【図４】
2004180643.tif 000006
【図５】
2004180643.tif 000007
【図６】
2004180643.tif 000008